(57)【要約】［課題］洗った後のゴム手袋を乾かすとき水捌けを良くするため指先の方を上向きにして干さなければならないが　指先を上向きに干すのは困難で　裏がわ迄乾かすために一度裏返しにして干さなければならない　使い古して固くなったゴム手袋は裏返しも困難　裏返しの必要なく手間も簡単な用具がほしくなる。［解決手段］洗った後のゴム手袋を　組み立てたゴム手袋干し用具の手の形をした手形骨組み棒にゴム手袋をはめるだけ、風通しの良い所に吊るすことで水捌けが良く素早く水気を切って早く乾かしてくれる。【選択図】図３
0003098858.tif 000002
【実用新案登録請求の範囲】
【請求項１】
組立式で、本体（底辺となる細い板状のもの）と用具を吊るすための吊るし棒と、ゴム手袋をはめるための手の形をした骨組み棒の部分からなりたったもの、本体部分の真中に吊るし棒を差し込むための穴を開けておき両端にもゴム手袋を干すための手形骨組み棒を差し込むための穴を開けておく、組立式のため本体（底辺）の部分に組み込む吊るし棒は、上部分を（？）のような形にし、下先の部分は本体にネジで固定するためネジすじをつけておくゴム手袋をはめる手形骨組み棒は指先になる部分を真珠玉を付けたように丸くしておきゴム手袋の指先にきづがつかないようにしておく　また親指の部分を少し手の平の方に倒しておく棒の下先部分は本体にネジで固定するためネジすじを付けておき　本体の穴部分からそれぞれの棒の先がずり落ちないようにネジすじの上部分に少しの持ち出し分をつけておく、
【請求項２】
またゴム手袋二組み干すことの出来るように本体（底辺）の部分を丸型にして四当分（十文字）に橋渡しをし　その真中心に吊るし棒を差し込む穴を開け十文字の端４角にも手形骨組み棒を差し込める穴を開けておく、ゴム手袋を干すため用具を組み立てるときにわ、本体（底辺）の部分に吊るし棒と手形骨組み棒を　それぞれの穴に差し込み底辺部分の裏側からネジでとめて、それぞれの棒を固定させる。
【考案の詳細な説明】
【０００１】
［考案の属する技術分野］
プラスチックまたはアルミまたはステンレス（さびない材質）で出来た手の五本の指を上向きにして第一間接半分ぐらい迄の骨組（従来のホーク形）を作り、それにゴム手袋をはめたとき　手袋の指先にきづのつかないように骨組の指先になる部分を丸くしておく、本体に差し込む棒の部分の下端は本体に固定さすためのネジすじをつけておき本体から棒がづり落ちないようにネジすじの上に少しの持ち出し分をつけておく、本体を吊るす為の吊るし棒は上部分（？）の形にして下先部分を本体に固定さす為のネジすじをつけ本体に棒を差し込んだとき本体から棒がずり落ちないようにネジすじの上部分に少しの持ち出し分を付けておく、本体（細い板状の物）の真中に吊るし棒を差し込む為の穴を開け両端部分にも手形骨組み棒を差し込む為の穴を開けておく、またゴム手袋二組干すことの出来るように本体（底辺）部分を丸型にして四当分（十文字）に橋渡しして中心に吊るし棒を差し込む為の穴をあけ　廻りの四当分のところに手形骨組み棒を四本差し込む為の四つの穴を開けておく、また本体の裏側からそれぞれの棒をネジで固定さす為のナットを棒の数分用意する。
【０００２】
［従来の技術］
こんにち迄使った後のゴム手袋を洗った後　中の部分を乾かす為に裏に返して干さなければならない　使い込んで固くなったゴム手袋は　裏返しが困難であるまた　指先の方を上にして干さなければ指先部分の水捌けが悪く指先部分を上にして干すのはとても難しいゴム手袋の指の部分が折れ曲がったりして指先の水気がなかなか取れないその為カビが生じて不潔になってしまう　そんな事で手間もかかりつい放置してしまう。
【０００３】
［考案が解決しようとする課題］
家庭でも工場でもまた病院　研究室その他農場など洗剤や薬品を使う場合、ゴム手袋を使用しているが、作業によってわゴム手袋の中で手に汗をかく　そのまま放置して置くとゴム手袋の中にカビが生じて黒ずんで不潔になって気持が悪くなる　清潔に保ため　またゴム手袋を長持ちさせるためにもゴム手袋の中もきれいに洗い流さなければならない　使いふるして固くなって裏返し困難になったゴム手袋でもそのまま中まできれいに洗い流して　考案のゴム手袋干し用具にゴム手袋をはめるだけで水捌けが良く　吊るすことによって風通しも良く　手間も簡単に乾かすことができます。
【０００４】
［課題を解決するための手段］
本体となる（底辺）の部分の真中に吊るし棒を差し込み固定させ　また本体の両端部分に手形骨組み棒を差し込んで固定させる　裏表きれいに洗ったゴム手袋使い古して固くなって裏返し困難なゴム手袋でもそのまま　手形骨組み棒にゴム手袋をはめるだけで水捌けが良く吊るすことで風通しも良く簡単に乾かすことが出来ます。
【０００５】
［考案の実施の形態］
本体となる部分と　吊るし棒の部分と　手形骨組み棒の部分を組み立てて　表裏をきれに洗ったゴム手袋を手形骨組み棒にはめ吊し棒で吊るすことで水捌けが良く風通しも良く　手間も簡単で陰干しにしても早く乾く。
【０００６】
［考案の効果］
洗剤や薬品を使った後またいろいろな作業でゴム手袋の中に汗をかいて汚れた手袋　また使い古して固くなって裏返し困難なゴム手袋でも裏返ししなくても裏迄良く洗った後指先を上向きに手形骨組み棒にはめて吊るし棒で吊るして干す事で水捌けが良く風と通しも良く手間も簡単に素早く乾かす事が出来る。
【図面の簡単な説明】
【図１】手形骨組み棒の図
【図２】吊るし棒の図
【図３】手形骨組み棒にゴム手袋をはめた図
【図４】本体（底辺の細棒）部分の図
【図５】ゴム手袋二組を干す事の出来る本体丸型の図
【図６】本体（底辺）部分に　ネジすじの付いた棒の先をそれぞれの穴に差し込んだとき本体の裏側から棒を本体に固定さす為のナットの図
【符号の説明】
１　本体の穴に棒を差し込んだとき　穴から棒がずり落ちないための持ち出し分
２　本体の穴に棒を差し込んでねじで棒を固定させる為のねじスジ
３　組み立て式の為それぞれの棒を差し込む為の穴
４　本体にそれぞれの棒を差し込んで裏からネジで固定させる為のナット
５　親指の部分を少し手の平の方に倒す折り目すじ
【図１】
0003098858.tif 000003
【図２】
0003098858.tif 000004
【図３】
0003098858.tif 000005
【図４】
0003098858.tif 000006
【図５】
0003098858.tif 000007
【図６】
0003098858.tif 000008
【手続補正書】
【提出日】平成15年6月2日(2003.6.2)
【手続補正２】
【補正対象書類名】明細書
【補正対象項目名】実用新案登録請求の範囲
【補正方法】変更
【補正の内容】
【実用新案登録請求の範囲】
【請求項１】
組立式で、ゴム手袋を干すための用具であって、板状の本体と、この本体に接続させるゴム手袋をはめるための手の形をした手形骨組棒と、前記用具を吊るすための吊るし棒とを有し、前記本体の真中に吊るし棒を差し込むための穴があり、その両端に手形骨組み棒を差し込むための穴があり、前記手形骨組み棒の上部分の指先になる部分は、ゴム手袋をはめたとき手袋の指先にきづが付かないように丸みを持たせてあり、また親指の部分を手の平の方に倒してあり、下先になる部分には本体の穴に接続させるためのネジすじがあり、前記吊るし棒の上先部分は半円型に曲げてあり、下先部分は本体に接続させるためのネジすじがあり、ゴム手袋を乾かすため用具を組み立てるとき本体の真中の穴に吊るし棒が両端の穴に手形骨み組み棒が差し込まれるゴム手袋干し用具。
【請求項２】
ゴム手袋二組を干す事が出来るゴム手袋干し用具であって、前記本体の外形が丸形で四等分に十文字に橋渡しをし、その中心に吊るし棒を接続するための穴があり、その周辺に手形骨組み棒を四本差し込むための穴があり、本体の中心の穴に吊るし棒が差し込まれ、周辺の穴に手形骨組み棒が四本差し込まれている、ゴム手袋干し用具。
【手続補正３】
【補正対象書類名】明細書
【補正対象項目名】０００４
【補正方法】変更
【補正の内容】
【０００４】
［課題を解決するための手段］
組み立式で、ゴム手袋を干すための用具であって、板状の本体と、この本体に接続させるゴム手袋をはめるための手の形をした手形骨組み棒と、前記用具を吊るすための吊るし棒とを有し、前記本体の真中に吊るし棒を差し込むための穴があり，その両端に手形骨組み棒を差し込むための穴があり、前記手形骨組棒の上部分の指先になる部分は、ゴム手袋をはめたとき手袋の指先にきづが付かないように丸みを持たせてあり、また親指の部分を手の平の方に倒してあり、下先になる部分には本体の穴に接続させるためのネジすじがあり、前記吊るし棒の上先部分は半円型に曲げてあり、下先部分は本体に接続させるためのネジすじがあり、ゴム手袋を乾かすため用具を組み立てるとき本体の真中の穴に吊るし棒が両端の穴に手形骨組み棒が差し込まれる、コム手袋干し用具、またゴム手袋二組を干す事が出来る用具であって、前記本体の外形が丸形で西等分に十文字に橋渡しをし、その中心に吊し棒を接続するための穴があり、その周辺に手形骨組み棒を四本差し込むための穴があり、本体の中心の穴に吊るし棒が差し込まれ、周辺の穴に手形骨組み棒が四本差し込まれている、ゴム手袋干し用具、裏表きれいに洗ったゴム手袋、使い古して固くなって裏返し困難なゴム手袋でも、そのまま手形骨組み棒にゴム手袋をはめるだけで水捌けが良く吊るすことで風通しも良く簡単に乾かすことが出来ます。


【手続補正４】
【補正対象書類名】図面
【補正対象項目名】全図
【補正方法】変更
【補正の内容】
【図１】
0003098858.tif 000009
【図２】
0003098858.tif 000010
【図３】
0003098858.tif 000011
【図４】
0003098858.tif 000012
【図５】
0003098858.tif 000013
【図６】
0003098858.tif 000014